(57)【要約】【課題】電話の着信時でなく、着信に対する応答時であって、照明を点灯したいと想定される場合に自動で照明装置を点灯させることができる端末装置を提供する。【解決手段】携帯端末装置１は、着信があり、この着信に応答して通話が行われる時、夜間であり、かつ使用者が起床していると判断された場合、無線通信により照明装置５に点灯を指示する（Ｓ９）。照明装置５の輝度レベルが最大レベルもしくはあらかじめ設定されたレベルに達するまで、段階的に点灯の指示が行われる。そして、通話が終了すると、携帯端末装置１は、照明装置５を点灯指示を行う前の照明状態に戻す指示を行う（Ｓ１３）。【選択図】図３
2013005170.tif 000002
【特許請求の範囲】
【請求項１】
通話機能を有し、照明装置を通信により制御可能である端末装置であって、
着信があった場合、前記着信に対する応答を検知する応答検知部と、
前記応答検知部によって応答が検知されて通話が行われる場合、前記通話を行う使用者が起床しているか否かを判断する起床判断部と、
前記起床判断部によって前記使用者が起床していると判断された場合、前記照明装置の点灯制御を行う点灯制御部と、を備える端末装置。
【請求項２】
請求項１記載の端末装置であって、
前記点灯制御を行う前、前記通信により前記照明装置から照明情報を取得する情報取得部と、
前記通話の終了を判断する通話終了判断部と、を更に備え、
前記点灯制御部は、前記通話が終了した場合、前記照明情報を基に、前記照明装置を前記点灯制御を行う前の状態に戻す端末装置。
【請求項３】
請求項１又は２記載の端末装置であって、
夜間を判断する夜間判断部と、を更に備え、
前記点灯制御部は、前記夜間判断部によって夜間が判断された場合、前記照明装置の点灯制御を行う端末装置。
【請求項４】
請求項３記載の端末装置であって、
時刻を計時する計時部と、を更に備え、
前記夜間判断部は、前記計時部によって計時された時刻が特定の時刻範囲にある場合、夜間と判断する端末装置。
【請求項５】
請求項３記載の端末装置であって、
周囲の照度を検出する照度検出部と、を更に備え、
前記夜間判断部は、前記照度検出部によって検出された周囲の照度が所定値以下である場合、夜間と判断する端末装置。
【請求項６】
請求項１記載の端末装置であって、
前記端末装置の傾きを検知する傾き検知部と、を更に備え、
前記起床判断部は、前記傾き検知部によって前記端末装置の縦向きが検知された場合、前記使用者が起床していると判断し、前記端末装置の横向きが検知された場合、前記使用者が起床していないと判断する端末装置。
【請求項７】
請求項１記載の端末装置であって、
前記通話を行う使用者が発声する音量を検知する音量検知部と、を更に備え、
前記起床判断部は、前記音量検知部によって検知される音量が一定値以上である場合、前記使用者が起床していると判断し、前記音量が一定値未満である場合、前記使用者が起床していないと判断する端末装置。
【請求項８】
請求項１記載の端末装置であって、
テレビ電話に使用されるカメラ部と、を更に備え、
前記起床判断部は、前記着信に対する応答として、前記応答検知部によって前記テレビ電話による応答が検知された場合、前記使用者が起床していると判断し、前記テレビ電話による応答が検知されない場合、前記使用者が起床していないと判断する端末装置。
【請求項９】
請求項１〜８のうちいずれか一項に記載の端末装置であって、
前記点灯制御部は、前記照明装置の点灯制御を行う際、前記照明装置の輝度レベルを段階的に所定レベルになるまで上げる端末装置。
【請求項１０】
請求項１〜９のうちいずれか一項に記載の端末装置であって、
前記端末装置は、複数の前記照明装置を通信で制御可能であり、
前記点灯制御部は、前記起床判断部によって前記使用者が起床していると判断された場合、前記複数の照明装置の点灯制御を順番に行う端末装置。
【請求項１１】
請求項１〜１０のうちいずれか一項に記載の端末装置であって、
使用者による前記点灯制御部を有効もしくは無効に切り替える指示を受け付ける操作部と、を更に備え、
前記点灯制御部は、前記操作部によって前記点灯制御部を有効に切り替える指示が受け付けられた場合、前記照明装置の点灯制御を行う端末装置。
【請求項１２】
通話機能を有し、照明装置を通信で制御可能である端末装置を制御する照明制御方法であって、
前記端末装置に着信があった場合、前記着信に対する応答を検知する応答検知ステップと、
前記応答検知ステップで応答が検知され、通話が行われる場合、前記通話を行う使用者が起床しているか否かを判断する起床判断ステップと、
前記起床判断ステップで前記使用者が起床していると判断された場合、前記照明装置の点灯制御を行う点灯制御ステップと、
を備える照明制御方法。
【請求項１３】
通話機能を有し、照明装置と通信する端末装置であるコンピュータに、
前記端末装置に着信があった場合、前記着信に対する応答を検知する応答検知ステップと、
前記応答検知ステップで応答が検知され、通話が行われる場合、前記通話を行う使用者が起床しているか否かを判断する起床判断ステップと、
前記起床判断ステップで前記使用者が起床していると判断された場合、前記照明装置の点灯制御を行う点灯制御ステップと、
を実現させるためのプログラム。
【発明の詳細な説明】
【技術分野】
【０００１】
本発明は、通話機能を有し、照明装置と通信して照明装置の動作を制御する端末装置、照明制御方法及びプログラムに関する。
【背景技術】
【０００２】
従来、この種の端末装置として、夜間に着信を検知した場合に、照明機器点灯スイッチを用いて照明を自動的に点灯させ、終話後、一定時間が経過すると、照明を消灯させる照明機器点灯スイッチ付き電話機が知られている（特許文献１参照）。
【０００３】
また、固定電話機や携帯電話機が着信した場合、着信に応じて電化製品を制御し、通話に適した環境にする技術が知られている（特許文献２参照）。この特許文献２の優先切換装置は、着信を認識した際、オーディオ機器の音量調節を行い、照明機器の点灯又は点滅を行う。また、優先切換装置は、照明機器の点灯又は点滅により着信の旨をユーザに通知する。
【先行技術文献】
【特許文献】
【０００４】
【特許文献１】特開平０２−２３７３４６号公報
【特許文献２】特開２００２−０２７１４２号公報
【発明の概要】
【発明が解決しようとする課題】
【０００５】
しかしながら、従来の端末装置では、次のような問題があった。近年、電話機として、携帯電話端末の使用が主流となり、電話を身近な場所に置いて就寝することが多くなっている。また、着信相手が画面に表示されるので、就寝中、着信があっても相手によっては電話に応答しない場合もある。
【０００６】
このため、周辺機器を制御する際、着信よりも通話のタイミングが重要になっている。また、着信があっても通話を行わない場合、着信と同時に照明機器が点灯することは眠りの妨げになっていた。
【０００７】
本発明は、上記従来の事情に鑑みてなされたものであり、電話の着信時でなく着信に対する応答時であって、照明装置を点灯したいと想定される場合に自動で照明装置を点灯させる端末装置、照明制御方法及びプログラムを提供することを目的とする。
【課題を解決するための手段】
【０００８】
本発明の端末装置は、通話機能を有し、照明装置を通信により制御可能である端末装置であって、着信があった場合、前記着信に対する応答を検知する応答検知部と、前記応答検知部によって応答が検知され、通話が行われる場合、前記通話を行う使用者が起床しているか否かを判断する起床判断部と、前記起床判断部によって前記使用者が起床していると判断された場合、前記照明装置の点灯制御を行う点灯制御部と、を備える。
【０００９】
また、本発明は、上述した照明制御方法であって、通話機能を有し、照明装置と通信する端末装置を制御する照明制御方法であって、前記端末装置に着信があった場合、前記着信に対する応答を検知する応答検知ステップと、前記応答検知ステップで応答が検知され、通話が行われる場合、前記通話を行う使用者が起床しているか否かを判断する起床判断ステップと、前記起床判断ステップで前記使用者が起床していると判断された場合、前記照明装置の点灯制御を行う点灯制御ステップと、を備える。
【００１０】
また、本発明は、上述したプログラムであって、通話機能を有し、照明装置と通信する端末装置であるコンピュータに、前記端末装置に着信があった場合、前記着信に対する応答を検知する応答検知ステップと、前記応答検知ステップで応答が検知され、通話が行われる場合、前記通話を行う使用者が起床しているか否かを判断する起床判断ステップと、前記起床判断ステップで前記使用者が起床していると判断された場合、前記照明装置の点灯制御を行う点灯制御ステップと、を実現させる。
【００１１】
上述した構成によれば、着信に対する応答が検知され、通話を行う使用者が起床している場合、照明装置の点灯制御を行うので、電話の着信時でなく、着信に対する応答時であって、照明装置を点灯したいと想定される場合に自動で照明装置を点灯させることができる。
【発明の効果】
【００１２】
本発明によれば、着信に対する応答が検知され、通話を行う使用者が起床している場合、照明装置の点灯制御を行うので、電話の着信時でなく、着信に対する応答時であって、照明装置を点灯したいと想定される場合に自動で照明装置を点灯させることができる。
【図面の簡単な説明】
【００１３】
【図１】第１の実施形態の携帯端末装置１及び照明装置５の構成を示す図
【図２】携帯端末装置１及び照明装置５の使用状態を説明する図、（Ａ）着信があり、この着信に対して応答した場合の動作状態を示す図、（Ｂ）携帯端末装置の筺体が鉛直方向に対して縦向きであり、使用者が起床して通話している様子を示す図、（Ｃ）携帯端末装置の筺体が鉛直方向に対して横向きであり、使用者が横になったまま通話している様子を示す図
【図３】携帯端末装置１の着信時の動作手順を示すフローチャート
【図４】ステップＳ２における夜間判断処理手順を示すフローチャート、（Ａ）時刻を用いて夜間を判断する手順を示すフローチャート、（Ｂ）周囲の照度を用いて夜間を判断する手順を示すフローチャート
【図５】ステップＳ４における起床判断処理手順を示すフローチャート、（Ａ）携帯端末装置の傾きを用いて起床を判断する手順を示すフローチャート、（Ｂ）通話時の発声音量を用いて起床を判断する手順を示すフローチャート
【図６】輝度レベルの決定の方法を説明する図、（Ａ）着信応答時に夜間照明の状態から徐々に（段階的に）照明を明るくする場合の図、（Ｂ）通話中の照明から着信前の照明に戻す場合の図
【図７】テレビ電話を用いた場合のステップＳ４における起床判断処理手順を示すフローチャート
【図８】第２の実施形態の携帯端末装置１及び複数の照明装置５Ａ、５Ｂ、５Ｃの構成を示す図
【図９】携帯端末装置１の着信時の照明動作手順を示すフローチャート
【図１０】複数の照明装置５Ａ、５Ｂ、５Ｃの点灯動作を示す図、（Ａ）着信に対する応答時の点灯動作を示す図、（Ｂ）通話終了時の消灯動作を示す図
【図１１】第３の実施形態における携帯端末装置１の操作を説明する図
【図１２】携帯端末装置１の着信時の照明動作手順を示すフローチャート
【発明を実施するための形態】
【００１４】
本発明の実施の形態における端末装置、照明制御方法及びプログラムについて図面を用いて説明する。本実施形態の端末装置は、通話機能を有する携帯電話機又はスマートフォン等の携帯端末装置に適用される。
【００１５】
（第１の実施形態）
図１は、第１の実施形態の携帯端末装置１及び照明装置５の構成を示す図である。携帯端末装置１は、制御部１０、表示部２０、無線制御部２２、音声処理部２６、記憶部２９、操作部３０、通信制御部３３、センサ部３４、時計部３８及びカメラ部３９を含む構成である。
【００１６】
表示部２０は、液晶表示パネル（ＬＣＤ：Liquid Crystal Display）からなり、各種の情報を表示する。
【００１７】
無線制御部２２は、Ｂｌｕｅｔｏｏｔｈ（登録商標）又は赤外線通信等の無線通信方式により照明装置５側の無線制御部５８と無線通信を行い、照明に関する情報を送受信する。
【００１８】
音声処理部２６には、音声通話を行うためのマイク２７及びスピーカ２８が接続されている。音声処理部２６は、通話時に、音声データを信号処理して音声通話を可能にし、また、マイク２７を通して入力される使用者が発する音声の音量を検知する。
【００１９】
記憶部２９は、携帯端末装置１に内蔵されるハードディスク又はフラッシュメモリにより構成され、各種の情報を記憶するとともに、照明に関する情報が記憶される照明情報記憶部２９ａを含む構成である。
【００２０】
操作部３０には、表示部２０の画面に配置されたタッチパネル部３１及び各種のキーからなるキー入力部３２が設けられている。
【００２１】
通信制御部３３は、アンテナ３３ａを介して無線基地局４０と無線通信を行い、着信又はこの着信に対する応答などの処理を行う。
【００２２】
時計部３８は、携帯端末装置１のシステムクロックである時刻を計時して制御部１０に通知する。
【００２３】
カメラ部３９は、被写体を撮影し、その画像データを出力する。また、カメラ部３９は、マイク２７及びスピーカ２８と組み合わされることで、テレビ（ＴＶ）電話の機能を実現する。
【００２４】
センサ部３４には、周囲の明るさ（周辺の照度）を検知する照度センサ３５（照度検出部）、及び携帯端末装置１の筐体の傾きを検知する加速度センサ３６が設けられている。本実施形態では、加速度センサ３６は、携帯端末装置１の筐体の傾きを検知可能なジャイロセンサからなり、携帯端末装置１の筐体が鉛直方向に対して縦向きにあるか（図２（Ｂ）参照）、それとも横向きにあるかを検知可能である（図２（Ｃ）参照）。
【００２５】
制御部１０は、携帯端末装置１の各部の動作を制御するものであり、携帯端末装置１に内蔵されるＣＰＵ（Central Processing Unit）、ＲＯＭ（Read Only Memory）及びＲＡＭ（Random Access Memory）により構成されている。また、制御部１０は、ＣＰＵが後述する制御プログラムを実行することにより実現される機能として、輝度レベル決定部１１、照明情報取得部１３、夜間判断部１５及び起床判断部１７を有する。
【００２６】
一方、照明装置５は、照明部５２、調光部５３、制御部５４、照明情報記憶部５６及び無線制御部５８を含む構成である。
【００２７】
制御部５４は、照明装置５の各部の動作を制御するものであり、照明装置５に内蔵されるＣＰＵ、ＲＯＭ、ＲＡＭにより構成されている。
【００２８】
照明部５２は、調光部５３の指示に応じた照明を行う。
【００２９】
調光部５３は、調光インバータ回路を有し、制御部５４からの指示に従って、照明部５２の照明を例えば５段階の輝度レベルに調光する。なお、無段階で連続的に調光することも可能である。
【００３０】
照明情報記憶部５６は、現時点の照明装置５に関する情報、例えば輝度レベル等を記憶する。
【００３１】
無線制御部５８は、携帯端末装置１側の無線制御部２２と無線通信を行い、前述したように、照明に関する情報を送受信する。
【００３２】
図２は、携帯端末装置１及び照明装置５の使用状態を説明する図である。図２（Ａ）は着信があり、この着信に対して応答した場合の動作状態を示す。無線基地局４０から着信に対し、使用者が応答すると、携帯端末装置１は、表示部２０の画面に着信あった旨のメッセージを表示するとともに、照明装置５に点灯指示を送信する。
【００３３】
図２（Ｂ）は携帯端末装置１の筺体が鉛直方向に対して縦向きであり、使用者が起床して通話している様子を示す。図２（Ｃ）は携帯端末装置１の筺体が水平方向に対して横向きであり、使用者が横になったまま通話している様子を示す。
【００３４】
上記構成を有する携帯端末装置１の動作を示す。図３は、携帯端末装置１の着信時の動作手順を示すフローチャートである。この制御プログラムは、制御部１０内のＲＯＭに格納されており、携帯端末装置１に着信があった時、この着信をトリガとして、制御部１０内のＣＰＵによって実行される。
【００３５】
まず、制御部１０は、着信に対して使用者が応答したか否かを判別する（Ｓ１）。この応答は使用者が携帯端末装置１のキー入力部３２に配置された通話ボタンを押下することにより行われる。ステップＳ１の処理は応答検知部の一例である。応答しなかった場合、制御部１０は本動作を終了する。
【００３６】
一方、着信に対して使用者が応答した場合（Ｓ１、ＹＥＳ）、制御部１０は、夜間であるか否かを判断するための夜間判断処理を行う（Ｓ２）。この夜間判断処理については図４を用いて後述する。
【００３７】
この判断の結果、制御部１０は夜間であるか否かを判別する（Ｓ３）。夜間でない場合（Ｓ３、ＮＯ）、制御部１０は本動作を終了する。一方、夜間である場合（Ｓ３、ＹＥＳ）、制御部１０は、使用者が起床しているか否かを判断するための起床判断処理を行う（Ｓ４）。この起床判断処理については図５を用いて後述する。
【００３８】
この判断の結果、制御部１０は、使用者が起床しているか否かを判別する（Ｓ５）。起床していない場合（Ｓ５、ＮＯ）、制御部１０は本動作を終了する。一方、起床している場合（Ｓ５、ＹＥＳ）、制御部１０は、無線制御部２２を介して照明装置５から照明情報を取得し、記憶部２９内の照明情報記憶部２９ａに記憶する（Ｓ６）。
【００３９】
制御部１０は、この取得した照明情報を基に、照明装置５を点灯する必要があるか否かを判別する（Ｓ７）。点灯する必要がない場合（Ｓ７、ＮＯ）、つまり、照明装置５が既に所定の輝度レベルで点灯している場合には、制御部１０は、本動作を終了する。
【００４０】
一方、照明装置５を点灯する必要がある場合（Ｓ７、ＹＥＳ）、制御部１０は、輝度レベルを１段階上げる指示を決定する（Ｓ８）。輝度レベルを１段階上げる指示は、例えば、照明装置５が消灯している場合、輝度レベルを値０から値１に変更する指示である。制御部１０は、この決定に従って、無線制御部２２を介して照明装置５に点灯を指示する（Ｓ９）。
【００４１】
制御部１０は、照明装置５の輝度レベルが所定レベル、すなわち最大レベル若しくは予め設定されたレベルに達したか否かを判別する（Ｓ１０）。最大レベル若しくは予め設定されたレベルに達していない場合（Ｓ１０、ＮＯ）、制御部１０は、一定時間が経過するまで待つ（Ｓ１１）。一定時間が経過すると（Ｓ１１、ＹＥＳ）、制御部１０は、ステップＳ８の処理に戻る。この一定時間は、３秒、５秒など任意に設定可能である。
【００４２】
また、ステップＳ１０において最大レベル若しくは予め設定されたレベルに達した場合（Ｓ１０、ＹＥＳ）、制御部１０は、通話が終了するまで待つ（Ｓ１２）。ステップＳ１２の処理は通話終了判断部の一例である。通話が終了すると（Ｓ１２、ＹＥＳ）、制御部１０は、照明情報記憶部２９ａに記憶された照明情報を基に、無線制御部２２を介して照明装置５に対し、着信前、つまり点灯指示を行う前の照明状態に戻す指示を行う（Ｓ１３）。この後、制御部１０は本動作を終了する。
【００４３】
図４は、ステップＳ２における夜間判断処理手順を示すフローチャートである。夜間であるか否かを判断する場合、本実施形態では、時刻を用いて判断が行われる。また、時刻を用いる代わりに、周辺の照度を用いて判断が行われてもよい。さらには、これらを組み合わせ、いずれも夜間と判断される場合に限って、夜間と判断するようにしてもよい。
【００４４】
図４（Ａ）は時刻を用いて夜間を判断する手順を示すフローチャートである。制御部１０は、時計部３８から現在時刻を取得する（Ｓ２１）。制御部１０は、この取得した現在時刻が特定の時刻範囲にあるか否かを判別する（Ｓ２２）。特定の時刻範囲として、例えば２３時〜６時までの範囲が挙げられる。この特定の時刻範囲は、記憶部２９に登録されており、季節などによりあるいは個々の状況により任意に変更可能である。
【００４５】
現在時刻が特定の時刻範囲にある場合（Ｓ２２、ＹＥＳ）、制御部１０は、夜間であると判断する（Ｓ２３）。一方、ステップＳ２２において現在時刻が特定の時刻範囲にない場合（Ｓ２２、ＮＯ）、制御部１０は、夜間でないと判断する（Ｓ２４）。ステップＳ２３又はステップＳ２４の処理後、制御部１０は元の処理に復帰する。
【００４６】
この様に、携帯端末装置１は、夜間の判断に際し、時刻を用いることによって正確な判断を行うことができる。また、携帯端末装置１は、特定の時刻範囲に就寝時刻を設定することによって、使用者の生活スタイルに応じた設定が可能となる。
【００４７】
図４（Ｂ）は周辺の照度を用いて夜間を判断する手順を示すフローチャートである。制御部１０は、照度センサ３５により周辺の照度を検知する（Ｓ３１）。制御部１０は、この検知した周辺の照度が一定レベル以下（所定値以下）であるか否かを判別する（Ｓ３２）。この一定レベルは、個々の状況により任意に変更可能である。
【００４８】
周辺の照度が一定レベル以下である場合（Ｓ３２、ＹＥＳ）、制御部１０は、夜間であると判断する（Ｓ３３）。一方、ステップＳ３２において周辺の照度が一定レベル以下にない場合（Ｓ３２、ＮＯ）、制御部１０は、夜間でないと判断する（Ｓ３４）。ステップＳ３３又はステップＳ３４の処理後、制御部１０は元の処理に復帰する。
【００４９】
この様に、携帯端末装置１は、夜間の判断に際し、周辺の照度を用いることによって夜間に限らず、昼間でも部屋を暗くしている場合、夜間と同様の照明制御を行うことが可能となる。
【００５０】
図５はステップＳ４における起床判断処理手順を示すフローチャートである。起床しているか否かを判断する場合、本実施形態では、携帯端末装置１の傾きを用いて判断が行われる。また、傾きを用いる代わりに、通話時の発声音量を用いて判断が行われてもよい。さらには、これらを組み合わせ、いずれも起床していると判断される場合に限って、起床と判断するようにしてもよい。
【００５１】
図５（Ａ）は携帯端末装置１の傾きを用いて起床を判断する手順を示すフローチャートである。制御部１０は、加速度センサ３６によって携帯端末装置１の傾きを検知する（Ｓ４１）。
【００５２】
制御部１０は、加速度センサ３６によって検知された携帯端末装置１の傾きが、一定時間、所定の角度範囲にある否かを判別する（Ｓ４２）。例えば、携帯端末装置１の筐体の長手方向の角度が、水平面に対して約８０〜９０度の角度範囲（所定の角度範囲）にある場合、携帯端末装置１の筐体が縦向きにあると判断される。また、一定時間は例えば５秒間である。
【００５３】
携帯端末装置１の傾きが、一定時間、所定の角度範囲にある場合（Ｓ４２、ＹＥＳ）、制御部１０は、図２（Ｂ）に示す様に、使用者が起床していると判断する（Ｓ４３）。一方、ステップＳ４２において、携帯端末装置１の傾きが、一定時間、所定の角度範囲にない場合（Ｓ４２、ＮＯ）、制御部１０は、図２（Ｃ）に示す様に、使用者が起床していないと判断する（Ｓ４４）。ステップＳ４３又はステップＳ４４の処理後、制御部１０は元の処理に復帰する。
【００５４】
この様に、携帯端末装置１が縦向きである場合、使用者が起床し、携帯端末装置１を持って通話しているケースが想定される。一方、携帯端末装置１が横向きである場合、ベッド又は布団の上で寝ながら電話しているケースが想定される。その場合には、照明装置５が点灯しないので、目が冴えずに通話終了後にそのまま就寝しやすくなる。
【００５５】
図５（Ｂ）は通話時の発声音量を用いて起床を判断する手順を示すフローチャートである。制御部１０は、音声処理部２６によって、マイク２７を通して行われる通話時の発声音量を検知する（Ｓ５１）。ステップＳ５１の処理は音量検知部の一例である。制御部１０は、この検知された音量が、一定時間、所定値以上（一定値以上）である否かを判別する（Ｓ５２）。なお、この一定時間及び一定値は、個人差などに応じて任意に設定可能である。
【００５６】
この音量が一定時間、所定値以上である場合（Ｓ５２、ＹＥＳ）、制御部１０は、起床していると判断する（Ｓ５３）。一方、この音量が一定時間、所定値以上にない（一定値未満である）場合（Ｓ５２、ＮＯ）、制御部１０は、起床していないと判断する（Ｓ５４）。つまり、周囲で寝ている人を気遣い、小声で話すような場合、起床していないと判断される。ステップＳ５３又はステップＳ５４の処理後、制御部１０は元の処理に復帰する。
【００５７】
この様に、携帯端末装置１は、起床しているか否かを判断する際、通話に使用されるマイクを用いることによって、別途センサを設ける必要がなく、部品点数を抑えることができる。また、小声で通話する場合には、周りで他の人が就寝している時など、照明装置を点灯させたくないケースが想定され、そのような場合、自動で照明装置が点灯することが防止される。
【００５８】
図６は輝度レベルの決定の方法を説明する図である。図６（Ａ）は、着信応答時に夜間照明の状態から徐々に（段階的に）照明を明るくする場合を示す。前述した様に、照明装置５は、輝度レベルを５段階に設定可能である。なお、本実施形態において、照明装置５の輝度レベルの段数は例えば５段としているが、当該輝度レベルは５段に限らず、照明装置５の仕様として任意の段数が予め設定されている。例えば照明装置５が５段階の輝度レベルを有する様に設定されている場合には、照明装置５は、端末装置からの輝度レベルの１段階のアップ指示に応じて輝度レベルを１段階アップする。又、照明装置５は、無段階で連続的に調光可能な機能を有する場合には、端末装置からの輝度レベルを無段階にてアップする。ここでは、夜間の照明は輝度レベル０、つまりオフ（ＯＦＦ）に設定されているものとする。
【００５９】
着信があり、使用者が応答すると、最初の点灯指示では、輝度レベルは５段階中「１」に設定される。そして、一定時間が経過すると、１段階アップし、輝度レベルは５段階中「２」に設定される。同様に、一定時間が経過すると、もう１段階アップし、輝度レベルは５段階中「２」に設定される。この動作が、最大レベル若しくは予め設定されたレベルになるまで繰り返される。これにより、明るい状況の下で、通話が可能となる。
【００６０】
図６（Ｂ）は通話中の照明から着信前の照明に戻す場合を示す。通話中、照明の輝度レベルが５段階中の「５」である場合、通話が終了すると、照明をオフ（ＯＦＦ）にして輝度レベルは５段階中の「０」になる。なお、点灯時と同様、徐々（段階的）に消灯させてもよい。
【００６１】
第１の実施形態の端末装置によれば、電話の着信時でなく、着信に対する応答時であって、照明装置を点灯したいと想定される場合に自動で照明装置を点灯させることができる。これにより、速やかに通話に適した環境にすることができる。すなわち、就寝中に着信があり、応答する場合に限って、照明装置が点灯するので、明るい環境で通話を行うことができる。また、応答しない場合、消灯したままであるので、就寝の妨げにならない。また、自分で照明装置を点灯する手間が省けるとともに、通話終了時に自分で照明装置を消灯する手間も省ける。
【００６２】
また、輝度レベルを徐々に上げることによって、突然の点灯による眩しさを防止し、快適な通話が可能になる。また、着信応答時の輝度レベルを取得しておくことによって、既に点灯している場合、点灯指示を行わないようにすることができる。また、通話終了後、自動で元の明るさに戻すことができる。
【００６３】
なお、使用者が起床しているか否かの判断には、携帯端末装置の傾き又は通話時の発声音量が用いられたが、テレビ電話が使用可能な端末装置の場合、テレビ電話で応答があったことを用いてもよい。
【００６４】
図７はテレビ電話を用いた場合のステップＳ４における起床判断処理手順を示すフローチャートである。まず、制御部１０は、着信に対する応答があった時の応答方法を検知する（Ｓ６１）。応答方法には、自動応答、通常の通話、テレビ電話などによる応答がある。
【００６５】
制御部１０は、検知された応答方法がテレビ電話による応答であるか否かを判別する（Ｓ６２）。テレビ電話による応答である場合（Ｓ６２、ＹＥＳ）、制御部１０は、使用者が起床していると判断する（Ｓ６３）。
【００６６】
一方、テレビ電話による応答でない場合（Ｓ６２、ＮＯ）、制御部１０は、使用者が起床していないと判断する（Ｓ６４）。ステップＳ６３又はステップＳ６４の処理後、制御部１０は元の処理に復帰する。
【００６７】
これにより、テレビ電話を行う際、相手方に伝送される撮影画像を速やかに明るくすることができる。また、テレビ電話時には、照明装置を点灯させたいので、点灯する手間が省ける。
【００６８】
（第２の実施形態）
第１の実施形態では、携帯端末装置が着信応答時に１つの照明装置を点灯する場合を示したが、第２の実施形態では、携帯端末装置が着信応答時に複数の照明装置を点灯する場合を示す。
【００６９】
図８は第２の実施形態の携帯端末装置１ｂ及び複数の照明装置５Ａ、５Ｂ、５Ｃの構成を示す図である。第１の実施形態と同一の構成要素については、同一の符号を付すことによりその説明を省略する。ここでは、第１の実施形態と異なる構成及び動作について説明する。
【００７０】
前述した様に、複数の照明装置５Ａ、５Ｂ、５Ｃは、タイプの異なる照明器具である。例えば、照明装置５Ａ、５Ｂ、５Ｃは、それぞれ設置場所が異なる、卓上スタンド、ペンダントライト、シーリングライト等である。
【００７１】
また、複数の照明装置５Ａ、５Ｂ、５Ｃは、ほぼ同様の構成を有し、第１の実施形態の照明装置５と異なり、調光部が省かれている。つまり、照明装置５Ａ、５Ｂ、５Ｃでは、点灯のオン／オフだけが制御される。その他の構成は第１の実施形態の照明装置５と同様である。
【００７２】
一方、携帯端末装置１ｂの制御部１０ｂには、第１の実施形態の輝度レベル決定部１１が省かれ、代わりに照明機器指定部１２が設けられる。この照明機器指定部１２は、制御部１０ｂ内のＣＰＵが制御プログラムを実行することによって実現される機能である。その他の構成は第１の実施形態と同様である。
【００７３】
図９は携帯端末装置１ｂの着信時の照明動作手順を示すフローチャートである。この制御プログラムは、制御部１０ｂ内のＲＯＭに格納されており、携帯端末装置１ｂに着信があった時、この着信をトリガとして、制御部１０ｂ内のＣＰＵによって実行される。第１の実施形態と同一のステップ処理については省略する。
【００７４】
制御部１０ｂは、ステップＳ６で取得した複数の照明装置５Ａ、５Ｂ、５Ｃの照明情報を基に、ステップＳ７で照明装置の点灯が必要であるか否かを判別する。この際、制御部１０ｂは、着信時の応答と照明装置５Ａ、５Ｂ、５Ｃの各点灯とを連動させる、複数の照明装置５Ａ、５Ｂ、５Ｃのうち１つでも点灯していない場合、点灯が必要であると判断する。
【００７５】
ステップＳ７で照明装置の点灯が必要であると判断された場合（Ｓ７、ＹＥＳ）、制御部１０ｂは、予め設定された順番（優先順位）に従って、照明装置（照明機器）を指定する（Ｓ８Ａ）。制御部１０ｂは、この指定した照明装置の順番に点灯を指示する（Ｓ９）。この指定された照明装置は、制御部１０ｂからの点灯指示に従って点灯する。
【００７６】
この後、制御部１０ｂは、全ての照明装置５Ａ、５Ｂ、５Ｃの各点灯を指示したか否かを判別する（Ｓ１０Ａ）。全ての照明装置５Ａ、５Ｂ、５Ｃの各点灯を指示していない場合（Ｓ１０Ａ、ＮＯ）、制御部１０は、一定時間が経過するまで待ち（Ｓ１１）、一定時間が経過すると、次の照明装置を点灯させるために、ステップＳ８Ａの処理に戻る。これにより、全ての照明装置５Ａ、５Ｂ、５Ｃが順番に点灯する。
【００７７】
また、ステップＳ１２で通話が終了すると（Ｓ１２、ＹＥＳ）、制御部１０ｂは、全ての照明装置５Ａ、５Ｂ、５Ｃに対し、着信前、つまり点灯指示を行う前の照明状態に戻す指示を行う（Ｓ１３）。このとき、ステップＳ９における点灯時とは、逆の順番で指示が出される。また、ステップＳ９における点灯指示前に点灯していた照明装置は、ステップＳ１３の処理後も、点灯し続ける。
【００７８】
図１０は複数の照明装置５Ａ、５Ｂ、５Ｃの点灯動作を示す図である。図１０（Ａ）は着信に対する応答時の点灯動作を示す。就寝中等において、着信があり、応答する場合、予め設定された順番に従って、まず、卓上スタンドである照明装置５Ａが点灯する。次にペンダントライトである照明装置５Ｂが点灯する。最後に、シーリングライトである照明装置５Ｃが点灯する。
【００７９】
図１０（Ｂ）は通話終了時の消灯動作を示す。通話が終了すると、点灯時と逆の順番で、着信前の状態に戻す。ここでは、着信前、全ての照明装置５Ａ、５Ｂ、５Ｃが消灯していたものとする。まず、シーリングライトである照明装置５Ｃが消灯し、次に、ペンダントライトである照明装置５Ｂが消灯する。最後に、卓上スタンドである照明装置５Ａが消灯する。
【００８０】
この様に、第２の実施形態の端末装置によれば、複数の照明装置がある場合、１つずつ順番に点灯させることで、徐々に明るくすることができる。
【００８１】
なお、本実施形態では、点灯のオン／オフのみ制御しているので、照明装置５Ａ、５Ｂ、５Ｃには、輝度レベルを多段階に調節可能な調光部が設けられていなかったが、設けるようにしてもよい。そして、各照明装置を点灯する際、第１の実施形態と同様、着信時に徐々に輝度レベルをアップさせてもよいし、消灯する際、徐々に輝度レベルをダウンさせてもよい。
【００８２】
（第３の実施形態）
第１の実施形態では、着信に対する応答時、自動的に照明装置と連動する制御が行われたが、第３の実施形態では、この照明装置と連動する応答（以下、照明連動応答という）を使用者が任意に設定可能である場合を示す。
【００８３】
第３の実施形態の携帯端末装置１は、第１の実施形態とほぼ同一の構成を有するので、同一の符号を付すことによりその説明を省略する。ここでは、第１の実施形態と異なる構成及び動作について説明する。
【００８４】
図１１は第３の実施形態における携帯端末装置１の操作を説明する図である。第３の実施形態では、キー入力部３２には、着信に対して応答するための応答ボタン３２ａ、照明連動応答を設定するための照明連動応答ボタン３２ｂ、及び着信に対して保留するための保留ボタン３２ｃが設けられている。
【００８５】
着信があった場合、使用者が応答ボタン３２ａを押下すると、音声通話等の応答が可能となる。また、使用者が照明連動応答ボタン３２ｂを押下すると、応答と同時に、前述した照明装置５の点灯制御が行われる。この照明連動応答ボタン３２ｂは、点灯制御を有効若しくは無効に切り替える指示を受け付ける操作部に相当する。また、使用者が保留ボタン３２ｃを押下すると、着信は保留される。
【００８６】
図１２は携帯端末装置１の着信時の照明動作手順を示すフローチャートである。この動作プログラムは、制御部１０内のＲＯＭに格納されており、携帯端末装置１に着信があった時、この着信をトリガとして、制御部１０内のＣＰＵによって実行される。第１の実施形態と同一のステップ処理については省略する。
【００８７】
まず、制御部１０は、照明連動応答ボタン３２ｂが押下されているか否かを判別する（Ｓ７１）。照明連動応答ボタン３２ｂが押下されていない場合、制御部１０は本動作を終了する。
【００８８】
一方、照明連動応答ボタン３２ｂが押下されている場合、制御部１０は、ステップＳ７３の処理に進み、前述した照明情報取得の動作を行う。つまり、ステップＳ７３〜Ｓ８０の処理は、それぞれ前記第１の実施形態のステップＳ６〜Ｓ１３の処理と同じであるので、これらの説明を省略する。
【００８９】
この様に、第３の実施形態の端末装置によれは、使用者が自分の意思で照明装置と連動させるか否かを設定することができる。これにより、端末装置の操作性を向上することができる。なお、照明連動応答ボタンを押下することで、照明連動応答を行う様に設定する機能は、第１の実施形態で示すように１つの照明装置に対するものであったが、第２の実施形態で示すように複数の照明装置に対するものであってもよい。
【００９０】
以上、図面を参照しながら各種の実施の形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【００９１】
例えば、上記実施形態では、端末装置は携帯電話機やスマートフォン等の携帯端末装置に適用された場合を示したが、固定電話機に適用されてもよい。この場合、固定電話機は、照明装置と有線もしくは無線で接続され、有線もしくは無線通信により照明装置を点灯制御可能とする。
【００９２】
また、本発明は、上記実施形態の機能を実現するプログラムを、ネットワークあるいは各種記憶媒体を介して端末装置に供給し、この端末装置のコンピュータが読み出して実行する際の、プログラムも適用範囲である。
【産業上の利用可能性】
【００９３】
本発明は、電話の着信時でなく、着信に対する応答時であって、照明を点灯したいと想定される場合に自動で照明装置を点灯させることができる端末装置、照明制御方法及びプログラムとして有用である。
【符号の説明】
【００９４】
１  携帯端末装置
５、５Ａ、５Ｂ、５Ｃ  照明装置
１０、５４  制御部
１１  輝度レベル決定部
１２  照明機器指定部
１３  照明情報取得部
１５  夜間判断部
１７  起床判断部
２０  表示部
２２、５８  無線制御部
２６  音声処理部
２７  マイク
２８  スピーカ
２９  記憶部
２９ａ、５６  照明情報記憶部
３０  操作部
３１  タッチパネル部
３２  キー入力部
３２ａ  応答ボタン
３２ｂ  照明連動応答ボタン
３２ｃ  保留ボタン
３３  通信制御部
３３ａ  アンテナ
３４  センサ部
３５  照度センサ
３６  加速度センサ
３８  時計部
３９  カメラ部
４０  無線基地局
５２  照明部
５３  調光部
【図１】
2013005170.tif 000003
【図２】
2013005170.tif 000004
【図３】
2013005170.tif 000005
【図４】
2013005170.tif 000006
【図５】
2013005170.tif 000007
【図６】
2013005170.tif 000008
【図７】
2013005170.tif 000009
【図８】
2013005170.tif 000010
【図９】
2013005170.tif 000011
【図１０】
2013005170.tif 000012
【図１１】
2013005170.tif 000013
【図１２】
2013005170.tif 000014